(57)【要約】      （修正有）【課題】既存の多種多様なゴルフバッグ（キャディバッグ）の開口部に取付けることのできる安価で設置・保持が容易なゴルフクラブ保持具を提供する。【解決手段】伸縮性ネットであって，ゴルフバッグの開口部の形状に適合しやすく，容易に設置・保持できるようにクリップないしフック等の接続部１１を備え，略円形状の網目状の構造体１０であって，その間にゴルフクラブを差し込める多数の網目の間隙１２を有する。【選択図】図１
0003202407.tif 000002
【実用新案登録請求の範囲】
【請求項１】
網目状の構造体であって，
ゴルフバッグの開口部の形状に適合しやすい略円形状であって，
ゴルフバッグの開口部の縁に設置・保持するためのクリップないしフック等の接続部を備え，
ゴルフクラブを差し込める多数の網目の間隙を有することを特徴とする
ゴルフバッグ用のゴルフクラブ保持用ネット。
【請求項２】
伸縮性の紐を編んで網目が形成されていることを特徴とする請求項１記載のゴルフバッグ用のゴルフクラブ保持用ネット。
【請求項３】
穿孔された伸縮性の布，ゴム又はこれに類するプラスチックシートによって網目が形成されていることを特徴とする請求項１記載のゴルフバッグ用のゴルフクラブ保持用ネット。
【考案の詳細な説明】
【技術分野】
【０００１】  この考案は，既存の多種多様なゴルフバッグの開口部に取付けることのできる安価で設置・保持が容易なゴルフクラブ保持具に関する。
【背景技術】
【０００２】  ゴルフバッグ（キャディバッグ）はゴルフクラブを収納・運搬するための円筒状の内部を有するバッグである。ゴルフのプレー中にはキャディカートに載せて運搬しながら，プレーヤーの目的とするクラブを随時出し入れしながら使用される。【０００３】  ゴルフバッグには，複数本，多いときには１０本を超える数のクラブを同時に収納されることから，運搬時にゴルフクラブ同士がぶつかって不快な音を立てたり，ゴルフクラブが移動して位置関係が変わったりして所望のゴルフクラブがすぐに選り分けられない、クラブ同士が引っかかって取り出しにくいなどの問題があった。【０００４】  そこで，ゴルフバッグ内に中仕切りを設けたりする構造や専用のアタッチメントを開口部にはめ込んだりする構造が提案されてきた。【０００５】  特開平６−１６８６１７号公報や特開２０１５−１９７７４号公報で開示された中仕切り構造の場合，収納力が落ちるほか，重量が増えるので持ち運びに難が生じていた。また製作コストが高くなるうえ，ゴルフバッグはウェアと同じくらいファッション性が求められる商品で，有名メーカーやデザイナーの人気製品に後から中仕切りを追加することは難しかった。【０００６】  他方で，例えば，特開平４−３７２２４号公報，実用新案第３０４９４１号公報，実用新案第３１６０６３６号公報および特表２００１−５１３６６５号公報で開示されている各種のアタッチメントでは，ゴルフバッグの開口部形状に合わせるために汎用性をもたない。また、例えば特開２００６−２２３７９３号公報，特開２０１５−９２９４２号公報や実用新案第３０４９４１１号公報，実用新案第３０６７５６０号公報，実用新案第３０９４２５９号公報で開示されている構造は，常に所定の位置にゴルフクラブを収納する必要があり，目的とするクラブの取り出しは容易だが、元通り所定の位置へ収納する作業がとても煩雑であるという点で難があった。
【先行技術文献】
【特許文献】
【０００７】
【特許文献１】特開平４−３７２２４号公報
【特許文献２】特開平６−１６８６１７号公報
【特許文献３】特表２００１−５１３６６５号公報
【特許文献４】特開２００６−２２３７９３号公報
【特許文献５】特開２０１５−１９７７４号公報
【特許文献６】特開２０１５−９２９４２号公報
【特許文献７】実用新案第３０４９４１１号公報
【特許文献８】実用新案第３０６７５６０号公報
【特許文献９】実用新案第３０９４２５９号公報
【特許文献１０】実用新案第３１６０６３６号公報
【考案の概要】
【考案が解決しようとする課題】
【０００８】  ゴルフバッグに多数のゴルフクラブを入れて持ち運ぶ際，ゴルフクラブが中で移動するため，プレー中に目的のゴルフクラブを探すことに手間がかかっていた。中仕切りを設けたゴルフバッグはいくつかあるものの，既存の多種多様なゴルフバッグ汎用的に取付けることのでき、安価で入手できるゴルフクラブの保持具は存在しなった。【０００９】  さらに，ゴルフクラブの出し入れ時に保持具がゴルフバックの表面に露出する形態である場合には，フッティングの悪さ，いわゆる「後付け感」が出てしまうことが多く，ファッション性も重視されるゴルフバッグにおいて，保持具の露出は控えるような構造が主流であった。【００１０】  本考案はこれらの問題点を解決すべく，汎用性があり，安価で，かつ，ゴルフバック表面に露出してもファッション性を損なわない保持具を提供すること課題である。
【課題を解決するための手段】
【００１１】  本考案は，第１には，網目状の構造体であって，ゴルフバッグの開口部の形状に適合しやすい略円形状であって，ゴルフバッグの開口部の縁に設置・保持するためのクリップないしフック等の接続部を備え，ゴルフクラブを差し込める多数の網目の間隙を有することを特徴とするゴルフバッグ用のゴルフクラブ保持用ネットを提供する。【００１２】  また，第２には伸縮性の紐を編んで網目が形成されていることを特徴とする，前記第１記載のゴルフバッグ用のゴルフクラブ保持用ネットを，さらに，第３には穿孔された伸縮性の布，ゴム又はこれに類するプラスチックシートによって網目が形成されていることを特徴とする，前記第１記載をゴルフバッグ用のゴルフクラブ保持用ネット。
【考案の効果】
【００１３】  本考案により，ゴルフバッグの形状に依存せず，汎用性のある，安価で，かつ，ファッション性に優れたゴルフバッグ保持具が提供される。
【図面の簡単な説明】
【００１４】
【図１】は，本考案に基づくゴルフバッグ用ゴルフクラブ保持用ネットの一態様であって，実施例１のゴルフバッグ保持具の非装着時（流通・販売）の形態である。
【図２】は，本考案に基づくゴルフバッグ用ゴルフクラブ保持用ネットの一態様であって，実施例２のゴルフバッグ保持具の非装着時（流通・販売）の形態である。
【図３】は，実施例１のネットのゴルフバッグの開口部への装着した状態を，模式的に立体視した図である。
【図４】は，図３に図示した実施例１のネットのゴルフバッグ開口部への装着状態を鉛直面から投射した模式図である。
【考案を実施するための形態】
【００１５】  本考案のゴルフバッグ用のゴルフクラブ保持用ネットは，網目状の構造体であって，ゴルフバッグの開口部の形状に適合しやすい略円形状であって，ゴルフバッグの開口部の縁に設置・保持するためのクリップないしフック等の接続部を備え，ゴルフクラブを差し込める多数の網目の間隙を有することを特徴とし，そのより好ましい実施は，網目が，伸縮性の紐を編んだもの（以下「形状Ａ」という。），もしくは，伸縮性の布，ゴム又はこれに類するプラスチックシートに穿孔が施されることによって形成されているもの（以下「形状Ｂ」という。）である。
【００１６】  より好ましくは，複数箇所のフックが保持用ネットの端部に設けられており，ゴルフバックの開口部付近の突起にネットを緊締しやすいものである。補助的にフックに対応するフックかけを両面テープ，自己粘着シート，ゲルその他の粘着性物質を媒介して，任意のゴルフバッグに装着してもよい。
【００１７】  より好ましくは，伸縮性の紐や布等を，より色彩豊かな装飾性あふれるものとし，白や黒など落ち着いた色合いの多いゴルフバッグに対して，蛍光色（グリーン，ピンク，イエロー，ブルー，オレンジ，マゼンダ等）を用いたり，パステルカラーを用いたりしてもよい。色をミックスしてもよい。また，形状Ｂの場合は穿孔のパターンに合わせ図柄を予め印刷したもの穿孔して作成してもよい。
【００１８】  形状Ａの場合は，網目が伸縮性の紐を編んで形成するため任意の多角形の形状とすることができるが，好ましくは四角形（格子状），六角形，六角形と五角形の組合せ（サッカーボールのパターンと同様の形状）である。
【００１９】  形状Ｂの場合は，形状Ａと異なり任意の間隔で孔を穿つことができるので，シンメトリック（対照的）な穿孔パターン以外にも，アシメトリック（非対象的）なパターンを採用してもよい。
【００２０】  以下に実施例を示すが，本考案の実施形態はこれに限定されるものではない。
【実施例１】
【００２１】  本実施例は，前記形状Ａの保持用ネットの一態様である。本実施例の態様を網目状の構造体１０として，図１，図３，図４に示す。【００２２】  網目状の構造体１０は，１本または複数本の伸縮性の紐，縄，または，帯状のベルトによって，間隙１２を格子状になるよう構成させたネットである。【００２３】  格子状の間隙１２は，標準的なゴルフバッグの既存の仕切り板２２で区切られるゴルフバッグの内部区画２３の１箇所に対して数個以上，好ましくは５個ないし８個程度割り当てられるような構造をとる。【００２４】  また，網目状の構造体１０は，結節点１３で格子構造を保持している。結節点１３は，紐同士を編み込んで構成してもよいし，紐同士を別の部材，例えば金属やプラスチック等でなるリング形状の部材や、結い紐で結節して構成してもよい。【００２５】  また，網目状の構造体１０は，端部にゴルフバッグ２０との接続部１１を有している。接続部１１はフック形状の金属製またはプラスチック製部材で，多種類のゴルフバッグの形状に適合するように，網目状の構造体１０の端部に４箇所以上に任意に設定する。接続部１１は取り外しが可能な構造であって、使用者が自身のゴルフバッグに最も適合する箇所・個数を選択できるようにしている。【００２６】  また，ゴルフバッグ２０には接続部１１と適合するような接続部受け２１を設けることができる。接続部受け２１は，フックを受ける形状の金属ないしプラスチックからなる部材であって，粘着性のシート等を用いて使用者が自身のゴルフバッグに最も適合する箇所・個数を選択して任意に設置できる。
【実施例２】
【００２７】  本実施例は，前記形状Ｂの保持用ネットの一態様である。本実施例の態様を網目状の構造体１０として，図２に示す。【００２８】  網目状の構造体１０は，伸縮性の布，ゴム又はこれに類するプラスチックシートに穿孔を施すことによって，間隙１２を構成させたネットである。間隙１２は，標準的なゴルフバッグの既存の仕切り板２２で区切られるゴルフバッグの内部区画２３の１区画あたり数個以上，より好ましくは５個ないし８個程度割り当てられるような構造をとる。【００２９】  なお，一般的なゴルフバッグでは内部区画２３の数は３区画ないし６区画程度であることから，実施例と異なる区画数のゴルフバッグについても，ゴルフバッグ全体での間隙１２の数が，２０ないし３０，より好ましくは２５個程度である。これはプレーに使用出来るゴルフクラブ数が最大１４本であるので，ゴルフクラブを「だいたいこのあたりに入れる」という曖昧さをもって自由に出し入れできる余裕を考慮した数である。【００３０】  また，接続部１１，および，接続部受け２１の性状および設置等については実施例１と同様である。
【符号の説明】
【００３１】１０  網目状の構造体
１１  接続部
１２  ゴルフクラブを保持する網目の間隙
１３  結節点
２０  ゴルフバッグ
２１  接続部受け
２２  既存の仕切板
２３  既存の内部区画
【図１】
0003202407.tif 000003
【図２】
0003202407.tif 000004
【図３】
0003202407.tif 000005
【図４】
0003202407.tif 000006